(57)【要約】【課題】  本発明は負荷変動が小さく報知時刻の遅れる事のないアラーム接点構造を提供する事を目的とする。【解決手段】  本発明は時刻を表示する指針と同期して回転する第１の導電部材とアラーム時刻を設定する目安車に同期して回転する第２の導電部材を有し、第１の導電部材は第１の当接部と第２の当接部を有し、第２の導電部材は第３の当節部を有し、第３の当節部と平面的な重なりを避けて同心円状に配置される絶縁性の第４の当接部を有する絶縁部材とを有する。アラーム時刻でない間は第２の当節部と第４の当接部が当接し、第１の当接部は第３の当節部とも前記絶縁部材とも当接せず、アラーム時刻であるとき第１の当節部と第３の当接部が当接して第１の導電部材と第２の導電部材が電気的に接続される事を特徴とする。【選択図】      図１
2005274466.tif 000002
【特許請求の範囲】
【請求項１】
電源と、
該電源によって駆動され、アラームの報知を制御する制御回路と、
前記電源端子の一方又は前記制御回路のアラーム制御端子のいずれかと電気的に接続された第１の当接部と第２の当接部とを有し、通常時刻を示す指針と同期して回転する第１の導電部材と、
アラーム制御端子又は前記電源端子の一方のいずれかと電気的に接続された第３の当接部を有し、設定したアラーム時刻を示す指針と同期して回転する第２の導電部材と、
該第２の導電部材と同時に回転し、前記第３の当接部との平面的な重なりを避けて前記第３の当接部と同心円状に配置された絶縁性の第４の当接部を有する絶縁部材とを有し、
アラーム時刻でない時刻の間は、前記第１の導電部材の前記第２の当接部と前記絶縁部材の前記第４の当接部とが当接し、前記第１の導電部材の前記第１の当接部は前記絶縁部材とも前記第２の導電部材とも当接せず、
アラーム時刻においては、前記第１の導電部材の前記第２の当接部と前記絶縁部材の前記第４の当接部とは当接せず、前記第１の導電部材の前記第１の当接部と前記第２の導電部材の前記第３の当接部とを当接させ、前記第１の導電部材と前記第２の導電部材とを電気的に接続することを特徴とする電子時計のアラーム接点構造。
【請求項２】
前記絶縁部材の前記第４の当接部の幅は前記第２の導電部材の前記第３の当接部の長さより狭く、前記第１の当接部と対向する位置の前記絶縁部材の平面部の高さを前記第４の当接部より低くしたことを特徴とする請求項１に記載の電子時計のアラーム接点構造。
【請求項３】
前記第１の導電部材は筒車に固着され、前記絶縁部材と前記第２の導電部材はアラーム時刻を示す目安車に固着されることを特徴とする請求項１又は請求項２に記載の電子時計のアラーム接点構造。
【請求項４】
前記絶縁部材は前記目安車と一体に形成されることを特徴とする請求項３に記載の電子時計のアラーム接点構造。
【発明の詳細な説明】
【技術分野】
【０００１】
本発明は、回転する指針で時刻を表示する時計のうち、予め使用者がアラームの報知を望む時刻であるアラーム時刻を設定し、時計の表示する時刻がアラーム時刻と一致したときに、使用者にアラームを報知する機能を有する時計に関する。
【背景技術】
【０００２】
従来のアラームの報知機能を有する時計では、時刻が設定したアラーム時刻に達した事を電気信号で知るために、通常は接していない第一の導電部材および第二の導電部材と、回転する指針の軸部に固着するカム部材を有する。
【０００３】
第一の導電部材は一端を固定し、もう一端はカム部材の働きによって機械的に動作し、カム部材が所定の位置に達した時に第一の導電部材と第二の導電部材が接して流れる電気信号から時計の表示する時刻がアラーム時刻に達した事を知る。この電気信号を利用して使用者にアラームを報知する。（例えば特許文献１および特許文献２）
【０００４】
また従来のアラーム報知機能を有する時計の別の形態では、時刻が設定したアラーム時刻に達した事を電気信号で知るために、通常は接していない第一の導電部材および第二の導電部材を有する。
【０００５】
回転する指針の軸部には、絶縁体で構成され、第二の導電部材と当接する円筒面あるいは回転軸と直行する円形の平面部である当接部位があり、第二の導電部材は当接部位のほとんどの部分で絶縁体と当接し、当接部位のごく一部に露出した第一の導電部材と当接するように構成される。
【０００６】
当接部位の第一の導電部材が露出している部分が所定の位置に達したとき、第二の導電部材が接して流れる電気信号から時計の表示する時刻が設定したアラーム時刻に達した事を知る。この電気信号を利用し使用者にアラームを報知する。（例えば特許文献２）
【０００７】
【特許文献１】特開２００１−２４２２６５号公報（第５頁、図１、図２）
【特許文献２】特開昭５０−１３１６７号公報（第５頁、第１図、第２図、第４図）
【発明の開示】
【発明が解決しようとする課題】
【０００８】
しかしながら上述した前者の従来技術では、カム部材の作用による第一の導電部材の機械的動作に伴う負荷変動が大きいという問題を有している。これは時計の消費電力の低減化に不利であり、特に腕時計のような低電力機器においては大きな問題である。
【０００９】
また、上述した後者の従来技術では、第二の導電部材が第一の導電部材と接する部分が絶縁体の上を滑っており、絶縁体表面の汚れ、例えば樹脂で成型された絶縁部表面の離型剤等の異物が当接部に付着して、第二の導電部材と第一の導電部材とが接しても電気信号が流れず、報知時刻が遅れたり報知が行われない場合があるという問題を有している。
【００１０】
本発明の目的は、上述のような欠点を解消し、負荷変動が小さく、報知時刻が遅れる事の無い、アラーム接点構造を提供することである。  
【課題を解決するための手段】
【００１１】
上記目的を達成するため本発明は  電源と、該電源によって駆動され、アラームの報知を制御する制御回路と、前記電源端子の一方又は前記制御回路のアラーム制御端子のいずれかと電気的に接続された第１の当接部と第２の当接部とを有し、通常時刻を示す指針と同期して回転する第１の導電部材と、アラーム制御端子又は前記電源端子の一方のいずれかと電気的に接続された第３の当接部を有し、設定したアラーム時刻を示す指針と同期して回転する第２の導電部材と、該第２の導電部材と同時に回転し、前記第３の当接部との平面的な重なりを避けて前記第３の当接部と同心円状に配置された絶縁性の第４の当接部を有する絶縁部材とを有し、アラーム時刻でない時刻の間は、前記第１の導電部材の前記第２の当接部と前記絶縁部材の前記第４の当接部とが当接し、前記第１の導電部材の前記第１の当接部は前記絶縁部材とも前記第２の導電部材とも当接せず、アラーム時刻においては、前記第１の導電部材の前記第２の当接部と前記絶縁部材の前記第４の当接部とは当接せず、前記第１の導電部材の前記第１の当接部と前記第２の導電部材の前記第３の当接部とを当接させ、前記第１の導電部材と前記第２の導電部材とを電気的に接続することを特徴とする。
【００１２】
このようにすれば、第１の導電部材はアラーム時刻である間は第１の当接部が第３の当接部に接し、アラーム時刻で無い間は第２の当接部が第４の当接部に接するので、第１の導電部材が時刻を示す指針と同期して回転しても常に支えられているため、時刻表示中の負荷変動を小さくする事が出来る。さらに、アラーム時刻である間は、第１の当接部が第３の当接部に接し、アラーム時刻で無い間は、第１の当接部は絶縁部材とも第２の導電部材とも当接しないため、第１の当接部に絶縁体表面の汚れ等が付着する心配は無い。
【００１３】
また、前記絶縁部材の前記第４の当接部の幅は前記第２の導電部材の前記第３の当接部の長さより狭く、前記第１の当接部と対向する位置の前記絶縁部材の平面部の高さを前記第４の当接部より低くしたことを特徴とする。
【００１４】
このようにすれば、第４の当接部の幅を第３の当接部の幅より短くする事によって、第４の当接部の内周あるいは外周の近傍に、アラーム時刻である間は第１の当接部が第３の当接部に接する同心円状の空間を設ける事ができる。さらに、前記第１の当接部と対向する位置の前記絶縁部材の平面部の高さを前記第４の当接部より低くする事で、アラーム時刻で無い間に第１の当接部が絶縁部材に触れることを防ぐことができる。
【００１５】
また、前記第１の導電部材は筒車に固着され、前記絶縁部材と前記第２の導電部材はアラーム時刻を示す目安車に固着されることを特徴とする。このようにすれば、通常時刻を示す指針、例えば１２時間で１回転する時針と同期して回転する第１の導電部材と、設定したアラーム時刻を示す指針と同期して回転する第２の導電部材が接したときにアラームを報知する時計を構成することができる。
【００１６】
また、上記目的を達成するために本発明では、前記絶縁部材は前記目安車と一体に形成されることを特徴とする。樹脂製の部品は一般的であるから、このようにすれば部品点数を増やすことなく本発明を適用できる。
【発明の効果】
【００１７】
上記のごとく本発明によれば、負荷変動が小さく、報知時刻が遅れる事の無い、アラーム接点構造の提供が可能でとなる。
【発明を実施するための最良の形態】
【００１８】
以下、図面により本発明の実施の形態を詳述する。  
図１は本発明の一実施の形態を示す電子時計のアラーム接点構造を説明するための部分断面図で、図中左側が図示されていない指針の回転中心を示し、又、図中下方が時刻を表
示する指針側を示し、（ａ）はアラーム時刻でない時刻における第１の導電部材と第２の導電部材と絶縁部材との関係を示す断面図、（ｂ）はアラーム時刻における第１の導電部材と第２の導電部材と絶縁部材との関係を示す断面図である。図２は本発明の一実施の形態を示す電子時計の平面図で、図１を地板側からみた時の平面図を示し、説明を簡単にするために地板等の不要な部品は省略している。図３は図１の第１の導電部材の形状を示す平面図と断面図で、（ａ）は平面図、（ｂ）は（ａ）の断面図である。図４は、図１の第２の導電部材と絶縁部材である目安車との関係を示す平面図である。
【００１９】
１は導電性を有する金属からなる第１の導電部材で、ばね状の付勢手段１ａと第１の当接部１１と第２の当接部１２とを有し、ばね状の付勢手段１ａにより第１の当接部１１を所定の接触圧で後述する第２の導電部材と当接させている。１５と１６は第１の導電部材１の外周部に設けた第５の当接部と第６の当接部であって、図２の図面の手前側に突出した突起であり、図１に示した電子時計の基台である地板９と当接している。
【００２０】
本実施の形態では、地板９は導電部材である金属材料で形成され、又、地板９は図示されていない電子時計の電源に接続されており、この結果、第１の導電部材１は、第５の当接部１５と第６の当接部１６とによって地板を９介して図示されていない電子時計の電源の電源端子の一方であるＶＤＤ端子と電気的に接続されている。
【００２１】
なお、地板９を導電部材でない合成樹脂材料で形成した場合は、第５の当接部１５および第６の当接部１６が接する部位に導電部材を配設して電源に接続すれば良い。又、本実施の形態では電源端子の一方であるＶＤＤ端子と電気的に接続したが、電源端子の他方であるＶＳＳ端子と電気的に接続しても良いし、地板９を絶縁材料で形成し、第１の導電部材１の当接部１５と第６の当接部１６とが接する部位に導電部材を配設し、アラームの報知を制御する図示されていない制御回路のアラーム制御端子と接続しても良い。
【００２２】
３は通常時刻を示す指針（時針）が固着される筒車、５は金属又は合成樹脂からなる固着部材で、中心部に筒車３の軸と嵌合する穴５ａを持つ略円盤状の部材である。第１の導電部材１は係合部１７を有しており、係合部１７を図示されていない固着部材５の係合部と係合させることにより第１の導電部材１は固着部材５を介して筒車３に固着されている。この結果、第１の導電部材１は、筒車３に固着された通常時刻を示す指針と同期して回転することができる。
【００２３】
２は導電性を有する金属板からなる略リング形状の第２の導電部材で、２３は第２の導電部材の内周側に突出させるように設けた第３の当接部である。６は３つの弾性を有するリード板６１、６２、６３を有し、図示されていない制御回路のアラーム制御端子と電気的に接続された第３の導電部材で、第２の導電部材２の外側に第３の導電部材６を配設することにより、３つの弾性を有するリード板６１、６２、６３と第２の導電部材２の外周部２４とを当接させ、第２の導電部材２は図示されていない制御回路のアラーム制御端子と電気的に接続されている。なお、本実施の形態では制御回路のアラーム制御端子と電気的に接続したが、第３の導電部材６を電源端子のいずれかであるＶＤＤ端子またはＶＳＳ端子と電気的に接続しても良い。
【００２４】
４は、電子時計の設定したアラーム時刻を示す図示されていない指針（いわゆるアラーム針）が固着される目安車で、目安車４は絶縁性の部材で作られており、筒車３と同軸に重ね合わされる。目安車４には第２の導電部材２が図示されていない嵌合手段によって固着されており、従って、第２の導電部材２は設定したアラーム時刻を示す図示されていない指針と同期して回転することになる。
【００２５】
４４は第３の当接部２３との平面的な重なりを避けて第３の当接部２３と同心円状に配
置された絶縁性の目安車４に設けた第４の当接部で、第４の当接部４４の幅は第２の導電部材２の第３の当接部２３の長さより狭く、第１の当接部１１と対向する位置の目安車４の平面部の高さを第４の当接部４４より低くしている。なお、本実施例では第４の当接部４４を目安車４と一体に構成した例を示したが、もちろん第４の当接部４４を目安車４とは別体に設けた絶縁部材で形成しても良い。
【００２６】
７はアラーム時刻設定巻真、８１〜８５はアラーム時刻設定輪列で、アラーム時刻設定巻真７を回転させると、アラーム時刻設定輪列８１〜８５を介して目安車４を回転させることができ、所望のアラーム時刻を設定することができる。
【００２７】
次に本発明の電子時計のアラーム接点構造の動作に関して説明する。まず、使用者がアラーム時刻設定巻真７を回転させると、アラーム時刻設定輪列８１〜８５が回転し、目安車４を回転させ、アラーム時刻を示す図示されていないアラーム針を回転させて所望のアラーム時刻にアラーム針を合わせる。この状態を図１（ａ）に示す。
【００２８】
図１（ａ）に示すようにアラーム時刻でない時刻の間は、第１の導電部材１の第２の当接部１２と絶縁部材である目安車４の第４の当接部４４とが当接し、第１の導電部材１の第１の当接部１１は第２の導電部材の第３の当接部２３は当接していない。
【００２９】
その後時間が経過すると、筒車３が回転することによって通常時刻を示す指針と同期して回転する第１の導電部材１が回転し、第２図の状態となり、第１の導電部材１の第１の当接部１１と第２の導電部材の第３の当接部２３とは接近する。
【００３０】
そして、さらに時間が経過してアラーム時刻となると、図１（ｂ）の状態となる。この状態では、第１の導電部材１の第２の当接部１２と絶縁部材である目安車４の第４の当接部４４とは当接せず、第１の導電部材１の第１の当接部１１と第２の導電部材２の第３の当接部２３とが当接し、第１の導電部材１と第２の導電部材２とが電気的に接続される。この結果、図示されていない電源端子、地板９、第１の導電部材１、第２の導電部材２、第３の導電部材６、及び図示されていない制御回路のアラーム制御端子の間が電気的に接続され、制御回路はアラーム制御端子の電気信号を検出し、時刻がアラーム時刻に達したと判断し、アラームを報知する。
【００３１】
以上のように、アラーム時刻でない間は第１の導電部材１は第１の当接部１２で絶縁部材である目安車４の第４の当接部４４と接している。従って、第２の当接部１２には絶縁部材表面の汚れが付着するが、第２の当接部１２を第１の当接部とは別の位置に設けているため、アラーム時刻に達した時の電気信号の流れを阻害する事がないのでアラームの報知が遅れる事がない。
【００３２】
また、第１の導電部材１は、常に第３の当接部２３あるいは第４の当接部４４のどちらかに接して支えられており、機械的な上下動をほとんど伴わないため時刻の経過によって当接部が入れ替わっても負荷変動を小さくする事ができる。
【図面の簡単な説明】
【００３３】
【図１】本発明の一実施の形態を示す電子時計のアラーム接点構造を説明するための部分断面図で、（ａ）はアラーム時刻でない時刻における第１の導電部材と第２の導電部材と絶縁部材との関係を示す断面図、（ｂ）はアラーム時刻における第１の導電部材と第２の導電部材と絶縁部材との関係を示す断面図である。
【図２】図２は本発明の一実施の形態を示す電子時計の平面図である。
【図３】図１の第１の導電部材の形状を示す平面図と断面図で、（ａ）は平面図、（ｂ）は（ａ）の断面図である。
【図４】図１の第２の導電部材と絶縁部材である目安車との関係を示す平面図である。
【符号の説明】
【００３４】
１  第１の導電部材
２  第２の導電部材
３  筒車
４  目安車
５  固着部材
６  第３の導電部材
７  アラーム時刻設定巻真
９  地板
１１  第１の当接部
１２  第２の当接部
２３  第３の当接部
４４  第４の当接部
【図１】
2005274466.tif 000003
【図２】
2005274466.tif 000004
【図３】
2005274466.tif 000005
【図４】
2005274466.tif 000006